(57)【要約】【課題】携帯性を維持しつつ、必要に応じて表示部の面積を大きくすることができるカード型ディスプレイ付き携帯電話機装置を提供する。【解決手段】カード型ディスプレイ付き携帯電話機装置１０は、第１表示部１２を有する携帯電話機１１と、この携帯電話機１１に取り外し自在に連結され、ディスプレイ本体２１とディスプレイ本体２１に設けられた第２表示部２２とを有するカード型ディスプレイ２０とを備えている。携帯電話機１１とカード型ディスプレイ２０とは電気的に接続されている。カード型ディスプレイ２０の第２表示部２２は携帯電話機１１の第１表示部１２の面積より大きくなっている。【選択図】  図１
2004350096.tif 000002
【特許請求の範囲】
【請求項１】
第１表示部を有する携帯電話機と、
この携帯電話機に取り外し自在に連結され、ディスプレイ本体とディスプレイ本体に設けられた第２表示部を有するカード型ディスプレイとを備え、
携帯電話機とカード型ディスプレイとは電気的に接続され、
カード型ディスプレイの第２表示部の面積は、携帯電話機の第１表示部の面積より大きくなっていることを特徴とするカード型ディスプレイ付き携帯電話機装置。
【請求項２】
携帯電話機は接続プラグ差込口を有し、
カード型ディスプレイは接続プラグ差込口に挿着される接続プラグを有し、
これら接続プラグ差込口と接続プラグとを介して携帯電話機とカード型ディスプレイとが連結されかつ電気的に接続されることを特徴とする請求項１記載のカード型ディスプレイ付き携帯電話機装置。
【請求項３】
携帯電話機は２個の接続プラグ差込口を有し、
カード型ディスプレイの接続プラグを一方の接続プラグ差込口に差し込んだ場合の第２表示部の画面は、カード型ディスプレイの接続プラグを他方の接続プラグ差込口に差し込んだ場合の第２表示部の画面と異なることを特徴とする請求項２記載のカード型ディスプレイ付き携帯電話機装置。
【請求項４】
カード型ディスプレイは２個の接続プラグを有し、
一方の接続プラグを携帯電話機の接続プラグ差込口に差し込んだ場合の第２表示部の画面は、他方の接続プラグを携帯電話機の接続プラグ差込口に差し込んだ場合の第２表示部の画面と異なることを特徴とする請求項２記載のカード型ディスプレイ付き携帯電話機装置。
【請求項５】
カード型ディスプレイの接続プラグはディスプレイ本体に折り畳み式に取り付けられていることを特徴とする請求項２記載のカード型ディスプレイ付き携帯電話機装置。
【請求項６】
携帯電話機とカード型ディスプレイとをコネクタケーブルにより電気的に接続することを特徴とする請求項１記載のカード型ディスプレイ付き携帯電話機装置。
【発明の詳細な説明】
【０００１】
【発明の属する技術分野】
本発明は携帯電話機と、この携帯電話機に取り外し自在に連結されたカード型ディスプレイとを備えたカード型ディスプレイ付き携帯電話機装置に関する。
【０００２】
【従来の技術】
従来より公知の携帯電話機は単なる移動電話としての役割だけでなく、様々な情報をリアルタイムで取得するための小型モバイル端末としての役割も担っている。携帯電話機が小型モバイル端末として利用される場合、文字情報だけでなく情報量の多い画像情報などの送受信にも利用される。
【０００３】
一方、携帯電話機はその本来の目的である携帯性を確保するために小型化されており、データ等を見るための表示部の面積もおのずと限られる。最近主流になりつつある折り畳み式の携帯電話機も携帯性を損なわずに表示部の面積拡大を狙ったものであるが、それでも表示部の面積はカードサイズの半分程度である。このように小さな表示部で地図等を始めとする情報量の多いデータ等を扱う場合、一画面あたりに表示できるデータ等の情報量が少なく、また、文字情報においても文字が小さく表示され、結果としてデータ等の把握は困難である。さらに、動画等を見た場合にも迫力に欠ける。
【０００４】
このような状況の中で、携帯電話機に折り畳み式の表示部を内蔵したものも発明されている（例えば特許文献１参照）。しかしながら、このような携帯電話機では表示部を見ながらボタンを操作することは不可能であり、また蝶番部で画像が途切れるという問題がある。
【０００５】
【特許文献１】
特開平０９−２４７２５０号公報
【０００６】
【発明が解決しようとする課題】
上述したように、携帯性を維持しつつ必要に応じて表示部の面積を大きく取ることができる携帯電話機は未だ開発されていないのが実情である。
【０００７】
本発明はこのような点を考慮してなされたものであり、携帯性を損なわず、かつ必要に応じて表示部の面積を大きくとることができるカード型ディスプレイ付き携帯電話機装置を提供することを目的とする。
【０００８】
【課題を解決するための手段】
本発明は、第１表示部を有する携帯電話機と、この携帯電話機に取り外し自在に連結され、ディスプレイ本体とディスプレイ本体に設けられた第２表示部を有するカード型ディスプレイとを備え、携帯電話機とカード型ディスプレイとは電気的に接続され、カード型ディスプレイの第２表示部の面積は、携帯電話機の第１表示部の面積より大きくなっていることを特徴とするカード型ディスプレイ付き携帯電話機装置である。
【０００９】
本発明は、携帯電話機は接続プラグ差込口を有し、カード型ディスプレイは接続プラグ差込口に挿着される接続プラグを有し、これら接続プラグ差込口と接続プラグとを介して携帯電話機とカード型ディスプレイとが連結されかつ電気的に接続されることを特徴とするカード型ディスプレイ付き携帯電話機装置である。
【００１０】
本発明は、携帯電話機は２個の接続プラグ差込口を有し、カード型ディスプレイの接続プラグを一方の接続プラグ差込口に差し込んだ場合の第２表示部の画面は、カード型ディスプレイの接続プラグを他方の接続プラグ差込口に差し込んだ場合の第２表示部の画面と異なることを特徴とするカード型ディスプレイ付き携帯電話機装置である。
【００１１】
本発明は、カード型ディスプレイは２個の接続プラグを有し、一方の接続プラグを携帯電話機の接続プラグ差込口に差し込んだ場合の第２表示部の画面は、他方の接続プラグを携帯電話機の接続プラグ差込口に差し込んだ場合の第２表示部の画面と異なることを特徴とするカード型ディスプレイ付き携帯電話機装置である。
【００１２】
本発明は、カード型ディスプレイの接続プラグはディスプレイ本体に折り畳み式に取り付けられていることを特徴とするカード型ディスプレイ付き携帯電話機装置である。
【００１３】
本発明は、携帯電話機とカード型ディスプレイとをコネクタケーブルにより電気的に接続することを特徴とするカード型ディスプレイ付き携帯電話機装置である。
【００１４】
【発明の実施の形態】
以下、図面を参照して本発明の実施の形態について説明する。
【００１５】
図１乃至図５は本発明によるカード型ディスプレイ付き携帯電話機装置の第１の実施の形態を示す図である。
【００１６】
このうち図１はカード型ディスプレイ付き携帯電話機装置を示す斜視図であり、図２は携帯電話機を示す斜視図であり、図３はカード型ディスプレイを示す斜視図であり、図４はカード型ディスプレイの部分断面図であり、図５はカード型ディスプレイを携帯電話機に縦長に連結したカード型ディスプレイ付き携帯電話機装置を示す斜視図である。
【００１７】
図１乃至図５に示すように、カード型ディスプレイ付き携帯電話機装置１０は、第１表示部を有する携帯電話機１１と、この携帯電話機１１に連結され、ディスプレイ本体２１とこのディスプレイ本体２１に設けられた第２表示部２２を有するカード型ディスプレイ２０とを備えている。また、携帯電話機１１とカード型ディスプレイ２０とは、後述するように互いに電気的に接続されている。
【００１８】
上述したように、携帯電話機１１は第１表示部１２を有し、この第１表示部１２は携帯電話機１１の表面上部に設けられている。また、第１表示部１２上方に上部接続プラグ差込口１３が設けられるとともに、第１表示部１２下方に下部接続プラグ差込口１４が設けられている。さらに、携帯電話機１１表面下部に多数の操作ボタン１５が設けられ、携帯電話機１１の上面にアンテナ１６が取り付けられている。
【００１９】
携帯電話機１１はカード型ディスプレイ２０と電気的に接続されてない場合、通常の携帯電話機として通話および情報の送受信を行うことができる。その場合、携帯電話機１１の第１表示部１２にはデータ等が表示される。
【００２０】
図３に示すように、カード型ディスプレイ２０はカードサイズの薄型ディスプレイからなっており、上述したようにカード型ディスプレイ２０はディスプレイ本体２１と、ディスプレイ本体２１表面に設けられた第２表示部２２とを有している。また、ディスプレイ本体２１の裏面上縁中央部に横型接続プラグ２３が設けられ、ディスプレイ本体２１の裏面横縁中央部に縦型接続プラグ２４が設けられている。なお、カード型ディスプレイ２０の第２表示部２２の面積は携帯電話機１１の第１表示部１２の面積より大きくなっている。
【００２１】
カード型ディスプレイ２０の横型接続プラグ２３および縦型接続プラグ２４を携帯電話機１１に設けられた上部接続プラグ差込口１３および下部接続プラグ差込口１４に差し込むことができ、また引き抜くこともできる。これら横型接続プラグ２３および縦型接続プラグ２４と、上部接続プラグ差込口１３および下部接続プラグ差込口１４とを介して、携帯電話機１１とカード型ディスプレイ２０とは取り外し自在に連結され、かつ電気的に接続される。
【００２２】
図１に示すように、カード型ディスプレイ２０の横型接続プラグ２３を携帯電話機１１の第１表示部１２上方に設けられた上部接続プラグ差込口１３に差し込むことにより、カード型ディスプレイ２０を携帯電話機１１に対して横長に連結することができる。これに対して図５に示すように、カード型ディスプレイ２０の縦型接続プラグ２４を携帯電話機１１の第１表示部１２下方に設けられた下部接続プラグ差込口１４に差し込むことにより、カード型ディスプレイ２０を携帯電話機１１に対して縦長に連結することができる。
【００２３】
カード型ディスプレイ２０を携帯電話機１１に対して横長に連結した場合、およびカード型ディスプレイ２０を携帯電話機１１に対して縦長に連結した場合のいずれも、携帯電話機１１の操作ボタン１５がカード型ディスプレイ２０に覆われることはない。したがってカード型ディスプレイ２０を携帯電話機１１に連結した場合は、いずれの場合も、操作ボタン１５を自由に使用することができる。
【００２４】
ところで、図４に示すように、横型接続プラグ２３は、ディスプレイ本体２１に対して支軸２３ａを中心として回動自在に取り付けられている。したがって、カード型ディスプレイ２０を使用しない場合、横型接続プラグ２３をディスプレイ本体２１側に折り畳んで収納することができ（図４（ａ））、カード型ディスプレイ２０を使用する場合は、横型接続プラグ２３を９０度回転させてディスプレイ本体２１に対して直立させることができる（図４（ｂ））。また、縦型接続プラグ２４も横型接続プラグ２３と同様に折り畳み式にディスプレイ本体２１に取り付けられている。
【００２５】
カード型ディスプレイ２０表面に設けられた第２表示部２２は、携帯電話機１１側の接続プラグ差込口１３、１４およびカード型ディスプレイ２０側の接続プラグ２３、２４を介して携帯電話機１１からカード型ディスプレイ２０へ送られてきたデータ等を表示するためのものである。この第２表示部２２は携帯性を確保するために薄型であれば、有機ＥＬディスプレイ、液晶ディプレイ、あるいはその他のディスプレイから構成することができる。
【００２６】
次に、携帯電話機１１の第１表示部１２およびカード型ディスプレイ２０の第２表示部２２の表示状態を説明する。携帯電話機１１は接続プラグ差込口１３、１４および接続プラグ２３、２４の接続状況から、カード型ディスプレイ２０が携帯電話機１１に連結されているか判断し、またカード型ディスプレイ２０が連結されている場合には、カード型ディスプレイ２０が横長または縦長のいずれの方向で携帯電話機１１に連結されているか判断する。
【００２７】
まず、カード型ディスプレイ２０が携帯電話機１１に連結されていない場合には、携帯電話機１１の第１表示部１２にデータ等が表示される。次にカード型ディスプレイ２０の横型接続プラグ２３が携帯電話機１１の上部接続プラグ差込口１３に差し込まれ、カード型ディスプレイ２０が携帯電話機１１に横長に連結されている場合には、携帯電話機１１からの信号により横型画面設定モードでカード型ディスプレイ２０の第２表示部２２にデータ等が表示される。一方カード型ディスプレイ２０の縦型接続プラグ２４が携帯電話機１１の下部接続プラグ差込口１４に差し込まれ、カード型ディスプレイ２０が携帯電話機１１に縦長に連結されている場合には、携帯電話機１１からの信号により縦型画面設定モードでカード型ディスプレイ２０の第２表示部２２にデータ等が表示される。このように携帯電話機１１とカード型ディスプレイ２０との連結状況に応じて、カード型ディスプレイ２０の第２表示部２２の画面設定モードが自動的に変化するようになっている。
【００２８】
次にこのような構成からなる本実施の形態の作用について説明する。
【００２９】
まず情報量の少ないデータ等を表示したり、小さな文字で表示してもよい場合には、通常の携帯電話機として、携帯電話機１１のみを使用する。その際、情報量の少ないデータ等あるいは小さな文字で表示されたデータ等を携帯電話機１１の第１表示部１２を介して見ることができる。このとき、カード型ディスプレイ２０は携帯電話機から取り外されている。カード型ディスプレイ２０は薄型のカードサイズであり携帯性に優れているので、衣服のポケット等に入れて携帯しておく。
【００３０】
一方、情報量が多いデータ等を表示したり、大きな文字で表示したい場合、携帯電話機１１の面積の小さい第１表示部１２ではデータ等を十分に表示することが不可能であるため、面積の大きい第２表示部２２を有するカード型ディスプレイ２０を携帯電話機１１に連結して使用する。
【００３１】
まず、横書きの長文や横長の地図などのデータ等を扱う場合、折り畳んだ状態にあるカード型ディスプレイ２０のディスプレイ本体２１に取り付けられている横型接続プラグ２３を９０度回転させながらディスプレイ本体２１から引き起こす。次に、ディスプレイ本体２１から引き起こしたカード型ディスプレイ２０の横型接続プラグ２３を携帯電話機１１の上部接続プラグ差込口１３に差し込み、携帯電話機１１とカード型ディスプレイ２０とを連結しかつ電気的に接続する。このとき、カード型ディスプレイ２０の縦型接続プラグ２４は、ディスプレイ本体２１側へ折り畳まれている（図１参照）。
【００３２】
図１において、横型接続プラグ２３を上部接続プラグ差込口１３に差し込むことにより、カード型ディスプレイ２０の第２表示部２２にはデータ等が横型画面設定モードで表示される。この場合、携帯電話機１１の表面下部に設けられた操作ボタン１５はカード型ディスプレイ２０によって覆われていないので、カード型ディスプレイ２０の大きな面積の第２表示部２２を見ながら操作ボタン１５を操作することができる。
【００３３】
次にこの状態から縦書きの文書や縦長の地図などのデータ等を取り扱う場合、まずカード型ディスプレイ２０の横型接続プラグ２３を携帯電話機１１の上部接続プラグ差込口１３から引き抜く。次に、それまでディスプレイ本体２１に対して直立して突出していた横型接続プラグ２３をディスプレイ本体２１側へ９０度回転させながら折り畳む。そしてカード型ディスプレイ２０の縦型接続プラグ２４をディスプレイ本体２１から引き起こし、縦型接続プラグ２４を携帯電話機１１の下部接続プラグ差込口１４に差し込む（図５参照）。
【００３４】
図５において、縦型接続プラグ２４を下部接続プラグ差込口１４に差し込むことにより、図１に示す場合と異なり、カード型ディスプレイ２０の第２表示部２２にはデータが縦型画面設定モードで表示される。この場合、横長にカード型ディスプレイ２０を携帯電話機１１に連結した場合と同様に、カード型ディスプレイ２０の大きな面積の第２表示部２２を見ながら操作ボタン１５を操作することができる。
【００３５】
情報量の多いデータ等を表示したり、大きな文字で表示する必要がなくなった場合、カード型ディスプレイ２０の縦型接続プラグ２４を携帯電話機１１の下部接続プラグ差込口１４から引き抜き、縦型接続プラグ２４を９０度回転させながらディスプレイ本体２１側に折り畳み、カード型ディスプレイ２０を衣服のポケット等にしまう。その後は、上述したように携帯電話機１１のみを通常の携帯電話機として使用できる。
【００３６】
以上のように本実施の形態によれば、携帯電話機本来の目的である携帯性を維持しつつ、必要に応じて表示部の面積を大きくすることができる。これによって一画面あたりに表示できるデータ等の情報量が増大され、従来より文字を大きく表示でき、結果としてデータ等の把握が容易になり、また、動画等においては大画面により迫力のある映像を楽しむことができる。
【００３７】
次に図６および図７により本発明によるカード型ディスプレイ付き携帯電話機装置の第２の実施の形態について説明する。
【００３８】
図６および図７に示す第２の実施の形態は、コネクタケーブル３０を用いて携帯電話機１１とカード型ディスプレイ２０とを電気的に接続することにより、カード型ディスプレイ付き携帯電話機装置１０を構成したものである。図６および図７に示す第２の実施の形態において、図１乃至図５に示す第１の実施の形態と同一部分には同一符号を付して詳細な説明は省略する。
【００３９】
図６および図７に示すように、携帯電話機１１とカード型ディスプレイ２０とはコネクタケーブル３０によって接続され、このコネクタケーブル３０は受け側端部３１と、差込側端部３２と、これら受け側端部３１と差込側端部３２を連結するケーブル本体３３とを有している。コネクタケーブル３０の受け側端部３１は、カード型ディスプレイ２０の横型接続プラグ２３または縦型接続プラグ２４のいずれかに差し込まれ、コネクタケーブル３０の差込側端部３２は携帯電話機１１の下面に設けられたコネクタケーブル受け１７に差し込まれる。このようにして、携帯電話機１１とカード型ディスプレイ２０とがコネクタケーブル３０により電気的に接続される。
【００４０】
次に、携帯電話機１１の第１表示部１２およびカード型ディスプレイ２０の第２表示部２２の表示状態を説明する。まず、携帯電話機１１は携帯電話機１１とカード型ディスプレイ２０とがコネクタケーブル３０により電気的に接続されているか判断する。
【００４１】
携帯電話機１１とカード型ディスプレイ２０とが電気的に接続されている場合、カード型ディスプレイ２０の第２表示部２２にデータ等が表示される。この場合、携帯電話機１１とカード型ディスプレイ２０とは電気的に接続されているが連結されていないので、横長または縦長のうちデータ等を見やすい向きにカード型ディスプレイ２０を向けて使用することができる。また、横型または縦型の画面表示のモード設定は、携帯電話機１１の操作ボタン１５により行う。
【００４２】
携帯電話機１１とカード型ディスプレイ２０とが電気的に接続されていない場合、携帯電話機１１の第１表示部１２にデータ等が表示される。
【００４３】
次にこのような構成からなる本実施の形態の作用について説明する。
【００４４】
コネクタケーブル３０を用いてカード型ディスプレイ付き携帯電話機装置１０を使用する場合には、コネクタケーブル３０の受け側端部３１をカード型ディスプレイ２０の横型接続プラグ２３または縦型接続プラグ２４のいずれかに差し込み、コネクタケーブル３０の差込側端部３２を携帯電話機１１下面に設けられたコネクタケーブル受け１７に差し込む（図６参照）。コネクタケーブル３０によって携帯電話機１１とカード型ディスプレイ２０とを電気的に接続した場合、カード型ディスプレイ２０の第２表示部にデータ等が表示される。この場合、携帯電話機１１とカード型ディスプレイ２０は連結されてないので、横長または縦長のうちデータ等を見やすい向きにカード型ディスプレイ２０を自由に向けることができる。同時に、横型または縦型の画面表示のモード設定を、携帯電話機１１の操作ボタン１５により行う。
【００４５】
一方、携帯電話機１１とカード型ディスプレイ２０とを接続してカード型ディスプレイ付き携帯電話機装置１０を使用している際に、カード型ディスプレイ付き携帯電話機装置１０の携帯電話機１１とカード型ディスプレイ２０とを片手で保持しなければならない場合も生じてくる。このような場合、カード型ディスプレイ２０の横型接続プラグ２３を携帯電話機１１の上部接続プラグ差込口１３に差し込むか、縦型接続プラグ２４を下部接続プラグ差込口１４に差し込んで、携帯電話機１１とカード型ディスプレイ２０とを連結してもよい。
【００４６】
例えば、コネクタケーブル３０の受け側端部３１をカード型ディスプレイ２０の縦型接続プラグ２４に差し込み、またコネクタケーブル３０の差込側端部３２を携帯電話機１１下面に設けられたコネクタケーブル受け１７に差し込むことにより携帯電話機１１とカード型ディスプレイ２０とを電気的に接続する。次にカード型ディスプレイ２０の横型接続プラグ２３を携帯電話機１１の上部接続プラグ差込口１３に差し込み携帯電話機１１とカード型ディスプレイ２０とを連結し、カード型ディスプレイ付き携帯電話機装置１０を使用することができる（図７参照）。
【００４７】
以上のように本実施の形態によれば、コネクタケーブル３０を用いることによって大きな面積の表示部と携帯電話機１１とを分離することができるので、大きな面積の第２表示部２２を見ながら携帯電話機１１を容易に操作することができる。
【００４８】
【発明の効果】
本発明によれば、携帯電話機本来の目的である携帯性を維持しつつ、必要に応じて表示部の面積を大きくすることができる。これによって一画面あたりに表示できるデータ等の情報量が増大され、文字を大きく表示でき、結果としてデータ等の把握が容易になり、また、動画等においては大画面により迫力のある映像を楽しむことができる。
【図面の簡単な説明】
【図１】本発明によるカード型ディスプレイ付き携帯電話機装置の第１の実施の形態を示す斜視図。
【図２】本発明によるカード型ディスプレイ付き携帯電話機装置の第１の実施の形態の携帯電話機を示す斜視図。
【図３】本発明によるカード型ディスプレイ付き携帯電話機装置の第１の実施の形態のカード型ディスプレイを示す斜視図。
【図４】本発明によるカード型ディスプレイ付き携帯電話機装置の第１の実施の形態のカード型ディスプレイを示す部分側断面図。
【図５】本発明によるカード型ディスプレイ付き携帯電話機装置の第１の実施の形態を示す斜視図。
【図６】本発明によるカード型ディスプレイ付き携帯電話機装置の第２の実施の形態を示す斜視図。
【図７】本発明によるカード型ディスプレイ付き携帯電話機装置の第２の実施の形態を示す斜視図。
【符号の説明】
１０  カード型ディスプレイ付き携帯電話機装置
１１  携帯電話機
１２  第１表示部
１３  上部接続プラグ差込口
１４  下部接続プラグ差込口
１５  操作ボタン
１６  アンテナ
１７  コネクタケーブル受け
２０  カード型ディスプレイ
２１  ディスプレイ本体
２２  第２表示部
２３  横型接続プラグ
２４  縦型接続プラグ
３０  コネクタケーブル
３１  受け側端部
３２  差込側端部
３３  ケーブル本体
【図１】
2004350096.tif 000003
【図２】
2004350096.tif 000004
【図３】
2004350096.tif 000005
【図４】
2004350096.tif 000006
【図５】
2004350096.tif 000007
【図６】
2004350096.tif 000008
【図７】
2004350096.tif 000009